(57)【要約】【課題】閉鎖装置本体Ｘと緩衝装置本体Ｙを簡単に設置することができること。【解決手段】固定手段に対して、ソフトクローズ装置本体を配設し、ソフトクローズ装置本体は、一つの横長状収納ケースと、該横長状収納ケースの引戸の閉鎖側部位に組み込まれた緩衝装置本体と、一方、該緩衝装置本体に対して所定間隔離間して引戸の開放側部位に組み込まれた閉鎖装置本体とから成り、緩衝装置本体は、引戸が閉鎖中における所定の開放位置で固定手段が衝突する衝突部材を備え、閉鎖中の引戸にブレーキを掛けて該引戸を減速させ、一方、閉鎖装置本体は、引戸が少なくとも減速した後、固定手段を摺動する第１滑動部分を有する回転体及び第２滑動部分を有する回転体用位置保持手段をそれぞれ介して引戸をアシストしながら完全閉鎖する引戸用ソフトクローズ装置。【選択図】図９
2014012955.tif 000002
【特許請求の範囲】
【請求項１】
引戸又は戸枠のいずれかに配設された固定手段に対して、ソフトクローズ装置本体を前記引戸又は戸枠のいずれかに配設し、前記ソフトクローズ装置本体は、一側下面又は上面のいずれかに開口を有する一つの横長状収納ケースと、該横長状収納ケースの引戸の閉鎖側部位に組み込まれた緩衝装置本体と、一方、該緩衝装置本体に対して所定間隔離間して前記引戸の開放側部位に組み込まれた閉鎖装置本体とから成り、前記緩衝装置本体は、前記引戸が閉鎖中における所定の開放位置で前記固定手段が衝突する、或いは固定手段に衝突する衝突部材を備え、閉鎖中の引戸にブレーキを掛けて該引戸を減速させ、一方、前記閉鎖装置本体は、前記引戸が少なくとも減速した後、前記固定手段を摺動する第１滑動部分を有する回転体及び第２滑動部分を有する回転体用位置保持手段をそれぞれ介して引戸をアシストしながら完全閉鎖する引戸用ソフトクローズ装置。
【請求項２】
請求項１に於いて、固定部材は、長杆状ベースプレートとしての第３固定プレートと、この第３固定プレートの先端部側に固定され、第１滑動部分が滑動する第１案内部を有する閉鎖装置本体用第１固定プレートと、同じく前記第３固定プレートの先端部側に固定され、第２滑動部分が滑動する第２案内部を有する閉鎖装置本体用第２固定プレートと、一方、前記第１案内部の後端部に形成された前記第１滑動部分用の落しよりも後方にその先端部が位置するように前記第３固定プレートの後端部側に固定された緩衝装置本体用第４固定プレートとから成り、第１乃至第４固定プレートは、一体的に構成された「一つ」の固定手段であることを特徴とする引戸用ソフトクローズ装置。
【請求項３】
請求項１又は請求項２に於いて、固定手段を構成する長杆状ベースプレートには、長手方向に沿って、複数個の調整取付け孔が形成されていることを特徴とする引戸用ソフトクローズ装置。
【請求項４】
請求項１に於いて、緩衝装置本体は、主軸に軸支され、かつ衝突時に固定手段の傾斜制御面に案内される衝突部材と、該衝突部材と協働するように該衝突部材とダンパーアーム部材の水平スライダの間に介在する仲介部材と、前記ダンパーアーム部材に巻装されたバネ部材と、前記ダンパーアーム部材の伸縮アームが嵌挿するオイルダンパーとから成る一つのユニットであることを特徴とする引戸用ソフトクローズ装置。
【発明の詳細な説明】
【技術分野】
【０００１】
本発明は引戸用ソフトクローズ装置に関する。「引戸用ソフトクローズ装置」は、引戸の閉鎖中に、「指や手」を戸枠と引戸の先端部との間に挟まないように、引戸を減速或いは停止させる緩衝装置（ダンパー装置）と、引戸が減速或いは停止した後、引戸閉鎖を機械的に補助する閉鎖装置本体とから構成されている。本発明は、当業者に、「ソフトクローズ装置」と称されている技術分野に関するものである。
【背景技術】
【０００２】
特許文献１は出願人が提案した閉鎖装置本体の一例である。ここで、特許文献１の主要部を、図１６及び図１７を参照にして説明する。
【０００３】
図１６及び図１７に於いて、１は引戸で、この引戸の上端部には、ケース状に形成された固定部材２が水平方向に設けられている。この固定部材２は、向う側の長尺状第１固定プレート２ａと、該第１固定プレート２ａと対向する手前側の長尺状第２固定プレート２ｂとから構成されており、図面に表れている手前側の長尺状第２固定プレート２ｂの中途部には段差部分３が形成されている（構成が複雑なので、便宜上、手前側の長尺状第２固定プレート２ｂを仮想線で描く）。
【０００４】
しかして、この固定部材２の内部には、水平案内部分４ａと、該水平案内部分４ａの後端部に連設する左下がりの傾斜部分４ｂとから成る全体形状が「へ」の字のカムレバー４が、先端部側の横軸５で軸支されている。
【０００５】
また、カムレバー４の直ぐ下方には、長杆状進退動トリガー６ａと、この進退動トリガー６ａの後端部にリンク係合した縦方向ロックレバー６ｂとから成るカムレバー用ロック手段６が配設されている。そして、前記長杆状トリガー６ａの先端部は、常時、図示しないバネ部材で、その先端部が引戸の開閉端部１ａから突出するように付勢されている。
一方、戸枠７には、基板８を介して、上記固定手段２及びカムプレート４に第１及び第２の滑動部分１３、１６がそれぞれ当接する閉鎖装置本体Xが設けられている。しかして、前記閉鎖装置本体Xは、横方向に伸縮する付勢手段１１と、固定軸１２に軸支され、その一端部が前記付勢手段１１の先端部に連結されていると共に、他端部に第１滑動部分に相当する押圧固定部１３を有するブーメラン形状のパワーレバー１４が設けられている。
【０００６】
さらに、前記基板８には、パワーレバー１４を所要の回転位置姿勢状態に保持するための位置保持手段１５が配設され、該位置保持手段１５は、前記パワーレバー１４と係脱可能な係止レバー１５ａと、該係止レバー１５ａと共働するように連結されかつ下端部に第２滑動部分に相当する滑動ローラ１６を備えた可動リンク１５ｂとから成る。
【０００７】
したがって、特許文献１の閉鎖装置本体Ｘは、引戸１の上端部に設けられた固定手段２と、この固定手段２に回転可能に設けられたカムレバー４と、該カムレバー４用のロック手段６と、一方、前記固定手段２及びカムレバー４をそれぞれ滑動する複数の滑動部分１３、１６を有するパワーレバー１４を備え、かつ戸枠に設けられた閉鎖装置本体Xとから成り、前記閉鎖装置本体Xは、一端部に前記第１滑動部分に相当する押圧固定部１３を有すると共に、他端部が付勢手段１１に連結されかつ固定軸１２に軸支された前記パワーレバー１４と、このパワーレバー１４を所要の回転位置姿勢状態に保持するための位置保持手段１５とから成る。そして、前記位置保持手段１５は、パワーレバー１４の被係合部１８に係脱するように基板８に支軸１９を介して軸支された係止レバー１５ａと、該係止レバー１３に一体的に設けられていると共に、下端部に第２滑動部分に相当する滑動ローラ１６を有する可動リンク１５ｂとから成る。
【０００８】
上記構成に於いて、引戸を閉鎖する際、図17で示すように、位置保持手段１５は、固定部材２の長尺状第２固定プレート２ｂを走行する滑動ローラ１６を有する可動リンク１５ｂ及び係止レバー１５ａを介してパワーレバー１４に対する係合を解き、また位置保持手段１５から係合を解かれた前記パワーレバー１４の押圧固定部１３は、カムレバー４の水平案内部分４ａから傾斜部分４ｂへと滑動可能と成る。
【０００９】
そして、前記押圧固定部１３が前記傾斜部分４ｂを滑動する直前には、トリガー６ａの先端部が戸枠７側に衝突し、その結果、該トリガー６ａが後退することにより、カムレバー用ロック手段６がカムレバー４に対する係止状態を解くので、付勢手段１１の付勢力がパワーレバー１４の傾斜部分４ｂに作用して引戸１が閉鎖方向Ａに移動する。
【００１０】
したがって、特許文献１の閉鎖装置本体Ｘは、引戸を完全に閉鎖するための閉鎖アシスト装置であることから、本願発明の「閉鎖装置本体」に対して先行する公知文献となるものである。
【００１１】
しかしながら、特許文献１の閉鎖装置本体Ｘは、閉鎖装置本体の複数の滑動部分に関して、パワーレバー１４の第１滑動部分に相当する押圧固定部１３は揺動可能なカムレバー４の水平案内部分４ａを滑動するのに対して、その第２滑動部分の滑動ローラ１６は固定部材２の長尺状第２固定プレート２ｂを走行するので、カムレバー４用のロック手段６が必要である、該ロック手段６を固定手段２に正確に配設しなければならない、固定手段２が長い、正確に各部材を配設しなければならない等の問題点があった。
【００１２】
ところで、図１８に示した引戸用ソフトクローズ装置Ｚは、同じく出願人が提案したものであるが、該ソフトクローズ装置Ｚも上記特許文献１に記載されている（図８の実施形態）。
【００１３】
この図１８に於いて、図面左側が「緩衝装置本体Ｙ」で、図面右側が「閉鎖装置本体Ｘ」である。説明の便宜上、ここでは、図１８に「中心線Ｏ」を入れ、該中心線Ｏを基準として、左側を引戸の開放側部位とする。この引戸の開放側部位には「緩衝装置本体Ｙ」が配設されている。一方、右側を引戸の閉鎖側部位とする。この引戸の閉鎖側部位には「閉鎖装置本体Ｘ」が配設されている。
【００１４】
緩衝装置本体Ｙの構成・作用は前述したとおりである。そこで、左側の緩衝装置本体Ｙの構成を説明すると、３１は戸枠７に設けられたダンパー用固定手段で、このダンパー用固定手段３１は、特許文献１ではストッパーユニットと称され、該ストッパーユニット３１は、その後端部の下部にカム面３１ａが形成されている。前記カム面３１ａは、右下がりの曲線となっている。
【００１５】
一方、このダンパー用固定手段３１に対して、引戸１の開放側部位には、非常に長いベース３２を介してダンパーケース３３が適宜に固定され、該ダンパーケース３３には、緩衝装置本体Ｙの主要部が組み込まれている。
【００１６】
すなわち、３５は三角形状の一つの端部に軸支された衝突ローラ３５ａを有する衝突部材で、前記衝突ローラ３５ａは、引戸１の閉鎖中における所定の開放位置で前記固定手段３１のカム面３１ａに衝突する。この実施形態では、ダンパー用固定手段３１が戸枠の閉鎖寄りの部位に配設されているので、引戸１が閉鎖方向Ａに移動する最中に衝突部材３５が固定手段３１に衝突する。これにより、閉鎖中の引戸１にブレーキを掛けて該引戸１を減速乃至停止させることができる。
【００１７】
しかして、緩衝装置本体Ｙは、三角形状の他の端部の主軸３６に軸支された衝突部材３５と、該衝突部材３５と協働するように該衝突部材３５とダンパーアーム３８の間に介在する仲介部材３７と、前記ダンパーアーム３８に巻装されたバネ部材３９と、前記ダンパーアーム３８が伸縮自在に嵌挿するオイルダンパー４０とから成る。
【００１８】
上記構成に於いて、引戸用ソフトクローズ装置Ｚは、閉鎖中の引戸１に、まず、緩衝装置本体Ｙのダンパー用固定手段３１に衝突する衝突部材３５を介してブレーキを掛けて該引戸１を減速させ、次に、前記閉鎖装置本体Ｘは、前記引戸１が少なくとも減速した後、前記ダンパー用固定手段３１とは全く別個の閉鎖用固定手段２を摺動する第１滑動部分を有する回転体及び可動部材としてのカムプレート４を滑動する第２滑動部分を有する回転体用位置保持手段をそれぞれ介し、当該引戸１をアシストしながら完全閉鎖することができる。
【００１９】
しかしながら、特許文献１に記載の引戸用ソフトクローズ装置Ｚは、閉鎖装置本体Ｘ、緩衝装置本体Ｙ、ダンパー用固定手段３１及び閉鎖用固定手段２が、いわばバラバラに引戸１側と戸枠７側に配設され、しかも、第２滑動部分用のカムプレート４を正確に配設しなければならないので、装置を小型化できない、部品点数が増える、各装置を簡単に設置することができない等の問題点を有していた。
【先行技術文献】
【特許文献】
【００２０】
【特許文献１】特開２０１２−８２６６６号公報
【発明の概要】
【発明が解決しようとする課題】
【００２１】
図１８（特許文献１の図８）に記載の従来例の問題点に鑑み、本発明の第１の目的は、閉鎖装置本体Ｘと緩衝装置本体Ｙを簡単に設置することができることである。第２の目的は、閉鎖装置本体Ｘ及び緩衝装置本体Ｙ用の固定手段を簡単に配設することができることである。第３の目的は、装置の小型化、部品点数の低減化、引戸の完全閉鎖時における指詰め防止等である。
【課題を解決するための手段】
【００２２】
本発明の引戸用ソフトクローズ装置は、引戸又は戸枠のいずれかに配設された固定手段に対して、ソフトクローズ装置本体を前記引戸又は戸枠のいずれかに配設し、前記ソフトクローズ装置本体は、一側下面又は上面のいずれかに開口を有する一つの横長状収納ケースと、該横長状収納ケースの引戸の閉鎖側部位に組み込まれた緩衝装置本体と、一方、該緩衝装置本体に対して所定間隔離間して前記引戸の開放側部位に組み込まれた閉鎖装置本体とから成り、前記緩衝装置本体は、前記引戸が閉鎖中における所定の開放位置で前記固定手段が衝突する、或いは固定手段に衝突する衝突部材を備え、閉鎖中の引戸にブレーキを掛けて該引戸を減速させ、一方、前記閉鎖装置本体は、前記引戸が少なくとも減速した後、前記固定手段を摺動する第１滑動部分を有する回転体及び第２滑動部分を有する回転体用位置保持手段をそれぞれ介して引戸をアシストしながら完全閉鎖することを特徴とする。
【００２３】
上記構成に於いて、固定部材は、長杆状ベースプレートとしての第３固定プレートと、この第３固定プレートの先端部側に固定され、第１滑動部分が滑動する第１案内部を有する閉鎖装置本体用第１固定プレートと、同じく前記第３固定プレートの先端部側に固定され、第２滑動部分が滑動する第２案内部を有する閉鎖装置本体用第２固定プレートと、一方、前記第１案内部の後端部に形成された前記第１滑動部分用の落しよりも後方にその先端部が位置するように前記第３固定プレートの後端部側に固定された緩衝装置本体用第４固定プレートとから成り、第１乃至第４固定プレートは、一体的に構成された「一つ」の固定手段であることを特徴とする。そして、前記固定手段を構成する長杆状ベースプレートには、長手方向に沿って、複数個の調整取付け孔が形成されていることを特徴とする。
【発明の効果】
【００２４】
（ａ）ソフトクローズ装置は、一側下面又は上面のいずれかに開口を有する一つの横長状収納ケースと、該横長状収納ケースの引戸の閉鎖側部位に組み込まれた緩衝装置本体Ｙと、一方、該緩衝装置本体に対して所定間隔離間して前記引戸の開放側部位に組み込まれた閉鎖装置本体Ｘ1とから成るので、戸枠又は引戸のいずれかに閉鎖装置本体Ｘ1と緩衝装置本体Ｙを同時（簡単）に配設（設置）することができる。
（ｂ）請求項２に記載の発明は、前記（ａ）の場合と同様に、戸枠又は引戸のいずれかに閉鎖装置本体Ｘ1及び緩衝装置本体Ｙ用の固定手段を簡単に配設することができる。
（ｃ）請求項３に記載の発明は、閉鎖装置本体Ｘ1と緩衝装置本体Ｙの設置位置に対応して各固定プレートの位置を調整することができる。
（ｄ）請求項４に記載の発明は、仲介部材が衝突部材と協働するように該衝突部材とダンパーアーム部材のスライダの間に介在するので、仲介部材を確実かつ「徐々」に減速させることができる。
【図面の簡単な説明】
【００２５】
図１乃至図１５は、本発明の第１実施形態の各説明図。図１６及び図１７は特許文献１に記載の実施形態（本発明に先行する閉鎖装置本体X）の各説明図。図１８は特許文献１に記載の実施形態（本発明に先行する引戸用ソフトクローズ装置）の説明図。なお、図２乃至図８は本発明を構成する閉鎖装置本体Ｘ1の各説明図である。
【図１】引戸に固定部材を設け、一方戸枠に閉鎖装置本体を設けた正面視からの説明図（本発明の実施態様の一例）。
【図２】正面視からの説明図。
【図３】斜視からの説明図。
【図４】完全閉鎖時の直前までに、回転体が位置保持手段からの係合を解かれた状態の説明図。
【図５】固定手段の第１案内部に回転体の１滑動部分が案内される説明図。
【図６】完全閉鎖時（一つの固定手段に閉鎖装置本体の第１・第２の滑動部分が制御された状態）の説明図。
【図７】引戸閉鎖時における全体の流れを示す説明図。
【図８】戸枠に閉鎖装置本体を設け、一方引戸に固定部材を設けた正面視からの説明図。
【図９】ソフトクローズ装置本体（主要部）を斜視で示した説明図（横長状収納ケースの一部を切り欠いた状態）。
【図１０】引戸用ソフトクローズ装置を構成する固定手段を斜視で示した説明図。
【図１１】主要部の正面視からの説明図（横長状収納ケースの一部を切り欠いた状態）。
【図１２】要部（衝突ローラを備えた衝突部材）の説明図。
【図１３】引戸の固定手段と、衝突部材と、仲介部材と、ダンパーアーム部材との関係を示す概略説明図。
【図１４】緩衝装置本体Ｙの作用の説明図（作用開始）
【図１５】緩衝装置本体Ｙの作用の説明図（閉鎖直前）。
【図１６】従来の実施形態であって、引戸に固定部材を設け、一方、戸枠に閉鎖装置本体を設けた正面視からの説明図。
【図１７】完全閉鎖時に至る説明図。
【図１８】本発明に先行する特許文献１に記載の実施形態の説明図。
【発明を実施するための最良の形態】
【００２６】
本発明は特許文献１（図８に記載の実施形態）を改良したものであるから、特許文献１と同一の部分には同一又は同様の符号を付す。したがって、引戸、戸枠等の環境部材の詳細説明は割愛する。なお、固定部材及び閉鎖装置本体の取付け箇所は特許文献１と一部同様である。
【００２７】
（１）新規事項の１…「ソフトクローズ装置本体（主要部）が、引戸１又は戸枠７のいずれかに設けられた固定手段２Ａと、この固定手段２Ａに第１・第２の滑動部分１３Ａ、１６Ａがそれぞれ当接するように戸枠１又は引戸７のいずれかに設けられた閉鎖装置本体Ｘ１とから成る点」である。説明の便宜上、特許文献１の図１６及び図１７に記載の引戸用閉鎖装置に相当するものを、ここでは、便宜上「閉鎖装置本体Ｘ」とする。本発明では「閉鎖装置本体Ｘ1」とする。
【００２８】
図１乃至図７は、引戸１に固定部材２Ａを設け、一方、戸枠７に閉鎖装置本体Ｘ１を設けたものである。これに対して、特許文献１の閉鎖装置本体Ｘは、引戸１及び戸枠７に対する取付け態様は第１実施形態と同様であるが、本発明の閉鎖装置本体Ｘ１に設けた第１・第２の滑動部分１３、１６は、一つの固定手段２Ａに案内されるものではない。例えば図１７で示すように、従来の閉鎖装置本体Ｘの第１の滑動部分１３は可動片としてのパワーレバー１４の傾斜部分４ｂに乗っている。これに対して、位置保持手段１５の第２滑動部分に相当する滑動ローラ１６は、固定部材２としての第２固定プレート２ｂに乗っている。このように、特許文献１の閉鎖装置本体Ｘに設けた第１・第２の滑動部分１３、１６は、固定側の部材と可動側の部材にそれぞれ案内されることから、引戸１の閉鎖時、固定側の部材２と可動側の部材４が閉戸方向Ａへ相当移動しない限り制御されない構造であった。であるから、特許文献１の固定手段としての固定部材２は、そのストロークを長くする必要があった。
【００２９】
（２）新規事項の２…固定手段２Ａである。すなわち、固定手段２Ａは、引戸１の開放側Ｂ部位に設けられ、かつ水平状或いはやや傾斜状の案内面２１ａに続く導入傾斜面２１ｂが形成された落し２３を有する第１案内部２１、及びこの第１案内部より引戸１の閉鎖側Ａ部位に設けられた第２案内部２２とで構成されている。
【００３０】
固定手段２Ａは、少なくも前記第１案内部２１を有する第１固定プレートＰと、この第１固定プレートの引戸の閉鎖側Ａ端部に一体的に固定された第２案内部２２を有する第２固定プレートＰ１とから成る引戸側の一つの案内部材である。
【００３１】
実施形態では、図２で示すように、合計３枚の固定プレートＰ、Ｐ１、Ｐ３を溶接、固着等により一体的に構成し、第１固定プレートＰには、やや傾斜状の案内面２１ａと、この案内面２１ａに続く急斜面状の導入傾斜面２１ｂと、該導入傾斜面２１ｂを有する落し２３をそれぞれ形成し、また第２固定プレートＰ１の第２案内部２２には、３０度〜４５度程度の導入傾斜面２２ａと、これに続く水平状支持面２２ｂをそれぞれ形成し、さらに、さらに、前記第１固定プレートＰと第２固定プレートＰ１との間に固定的に挟まれ、かつ前記落し２３と横方向に連通する第１滑動部分用支持凹所２４を有する第３固定プレートＰ３とから構成され、前記第３固定プレートＰ３は、後述よるようにベースプレートに相当する。
【００３２】
加えて、第２固定プレートＰ１の水平状支持面２２ｂは、第２の滑動部分１６が滑動することを考慮して第１固定プレートＰの案内面２１ａよりも一段高く設定されている。なお、前記落し２３は、第１案内部２１の後端部に形成された落し溝であっても良い。このように、本実施形態の固定手段２Ａは、単数又は複数の固定プレートで構成された「一つの固定手段」であり、後述の閉鎖装置本体Ｘ１の第１・第２の滑動部分１３Ａ、１６Ａをそれぞれ制御する。
【００３３】
（３）新規事項の３…閉鎖装置本体Ｘ１である。閉鎖装置本体Ｘ１は、固定軸１２に軸支されて、一端部に第１滑動部分１３Ａに相当する押圧固定部（実施形態では滑動ローラ）１３Ａを有すると共に、他端部に被係合部１８を有する短板状の回転体１４Ａ、前記押圧固定部１３Ａが導入傾斜面２１ｂを案内された落し２３に落ち込むように該短板状回転体１４Ａを落し方向へ常時付勢する付勢手段１１Ａ、一端部に前記短板状回転体１４Ａの前記被係合部１８に係合する係合部を有すると共に、他端部に第２滑動部分１６Ａを有する前記回転体用位置保持手段１５Ａとから構成されている。
【００３４】
しかして、上記構成の閉鎖装置本体Ｘ１は、例えば図３及び図４で示すように、引戸１の完全閉鎖時に、短板状回転体１４Ａの第１滑動部分１３Ａは、引戸側の固定手段２Ａの第１案内部２１に制御されると共に、回転体用位置保持手段１５Ａは前記固定手段２Ａの第２案内部２２に制御され、完全閉鎖時の直前までに回転体用位置保持手段１５Ａからの係合を解かれる。付言すると、図３及び図４は、引戸１の上辺部前框付近に複数の案内部を有する固定手段２Ａが配設され、一方、閉鎖装置本体Ｘ１は、横長状の収納ケース８Ａに組み込まれ、かつ、引戸閉鎖時に前記引戸１の上辺部前框付近に対向するように戸枠７の上枠に配設され、該閉鎖装置本体Ｘ１を構成する短板状回転体１４Ａは、第１滑動部分１３Ａの第１案内部２１の落し２３に落ちることが可能であり、また、略同時に又はそれ以前に前記固定手段２Ａの第２案内部２２に既に案内されている第２滑動部分１３Ａを介して回転体用位置保持手段１５Ａからの係合状態を解かれたことを示す。
【００３５】
上記のように回転体用位置保持手段１５Ａから自由になった短板状回転体１４Ａは、図５で示すように、その後、前記１滑動部分１３Ａが前記落し２３の導入傾斜面２１ｂを押圧しながら該落し２３に係入し、その結果、引戸１の開閉端部１ａは戸枠７の縦枠に密着する(図６参照)。
【００３６】
（４）その他の事項…収納ケース体８Ａ、付勢手段１１Ａ、回転体用位置保持手段１５Ａについて補足説明をする。閉鎖装置本体Ｘ１は、下端開口の長箱状の一つの収納ケース体８Ａに組み込まれ、その短板状回転体１４Ａは、前記収納ケース体８Ａに横設軸架された固定軸１２に軸支されている。また、閉鎖装置本体Ｘ１の付勢手段１１Ａの中央部は固定前記軸１２に巻装されており、一端部は収納ケース体８Ａ内のバネ端支持ピン２６に支持され、その他端部は短板状回転体１４Ａに形成されたバネ支持部分１４ａに圧接している。さらに、回転体用位置保持手段１５Ａは、その支軸１９に中央部が巻装されたバネ部材２７で係合解除の方向に常時付勢されており、一端部は不番のバネ支持部分に圧接し、他端部は収納ケース体８Ａの一側壁の内壁面に圧接している。そして、引戸１の完全閉鎖時、その第２滑動部分１６Ａが第２案内部２２の導入傾斜面２２ａを滑動して行くと、前記バネ部材２７のバネ力に抗して鉤状の係合部２８が短板状回転体１４Ａの被係合部１８から離れ行く。
【００３７】
（５）本発明の一実施形態…本発明の引戸用ソフトクローズ装置Ｚは、引戸１又は戸枠７のいずれかに配設された固定手段２Ａに対して、「閉鎖装置本体Ｘ１」と、図１、図９乃至図１５に示した「緩衝装置本体Y」とを組み合わせたものであり、このような係合発明のことを、「引戸用ソフトクローズ装置」と称することは前述したとおりである。すなわち、本発明の引戸用ソフトクローズ装置Ｚは、引戸１又は戸枠７のいずれかに配設された固定手段２Ａに対して、ソフトクローズ装置本体を前記引戸又は戸枠のいずれかに配設し、前記ソフトクローズ装置本体は、一側下面又は上面のいずれかに開口を有する一つの横長状収納ケース８Ａと、該横長状収納ケース８Ａの引戸の閉鎖側部位に組み込まれた緩衝装置本体Ｙと、一方、該緩衝装置本体に対して所定間隔離間して前記引戸の開放側部位に組み込まれた閉鎖装置本体Ｘ１とから成る（特徴事項１）。
【００３８】
しかして、図１４、図１５で示すように、前記緩衝装置本体Ｙは、前記引戸１が閉鎖中における所定の開放位置で前記固定手段２Ａが衝突する、或いは実施形態如何によっては、前記固定手段２Ａに衝突する衝突部材３５を備え、閉鎖中の引戸にブレーキを掛けて該引戸１を減速させ、一方、前記閉鎖装置本体Ｘ１は、前記引戸１が少なくとも減速した後、前記固定手段２Ａを摺動する第１滑動部分１３Ａを有する回転体１４Ａ及び第２滑動部分１６Ａを有する回転体用位置保持手段１５Ａをそれぞれ介して、当該引戸１をアシストしながら完全閉鎖する（特徴事項２）。
【００３９】
上記構成に於いて、図１０で示すように、固定部材２Ａは、長杆状ベースプレートとしての第３固定プレートＰ３と、この第３固定プレートＰ３の先端部側に固定され、第１滑動部分１３Ａが滑動する第１案内部２１を有する閉鎖装置本体用第１固定プレートＰと、同じく前記第３固定プレートＰ３の先端部側に固定され、第２滑動部分１６Ａが滑動する第２案内部２２を有する閉鎖装置本体用第２固定プレートＰ１と、一方、前記第１案内部２１の後端部に形成された前記第１滑動部分用の落し２３よりも後方にその先端部が位置するように前記第３固定プレートＰ３の後端部側に固定された緩衝装置本体用第４固定プレートＰ４とから成り、第１乃至第４固定プレートＰ乃至Ｐ４は、一体的に構成された「一つ」の固定手段である（特徴事項３）。
【００４０】
付言すると、長杆状ベースプレートとしての第３固定プレートＰ３は、図１０の中心線「Ｏ」を基準として、引戸の閉鎖側部位Ａから開放側部位Ｂに至る長尺状の角材であり、その中途部上面に落し２３と連通する支持凹所２４が形成されている。そして、該第３固定プレートＰ３の向う側の側面にやや薄板状の第１固定プレートＰが、その上端部側が長杆状ベースプレートＰ３の先端部上面から突出するように固定され、一方、該第３固定プレートＰ３の手前側の側面に薄板状の五角形状に形成された第２固定プレートＰ１の内面下部が固定され、その上端部は前記第１固定プレートＰの上辺よりも突出し、さらに、緩衝装置本体用第４固定プレートＰ４は、第１固定プレートＰよりも高さがあるように大きく形成され、前述した落し２３や支持凹所２４を介して第３固定プレートＰ３の向う側の側面にその下端部が固定されていると共に、その上端部は、図９で示すように下端開口の横長状収納ケース８Ａの中に入り込んでいる。
【００４１】
ところで、本実施形態の第４固定プレートＰ４は、先端部側の上面に右下がり状の傾斜制御面３０と、この傾斜制御面３０に続く水平面３１とを有している。また、固定手段２Ａを構成する長杆状ベースプレートＰ３には、長手方向に沿って、複数個、望ましくは多数の調整取付け孔３２が形成されている。
【００４２】
図９は主要部の斜視からの説明図で、緩衝装置本体Ｙの構成が見えるように横長状収納ケース８Ａの一部を切り欠いた状態である。また、図１１は主要部の正面視からの説明図で、緩衝装置本体Ｙ及び閉鎖装置本体Ｘ１の各構成が見えるように横長状収納ケース８Ａの一部を切り欠いた状態である。図１２は衝突ローラを備えた衝突部材３５の説明図である。まず、図１２を参照にして、衝突部材３５の構成を説明する。図１２に於いて、３６は一組の支持板で、これらの支持板３６は、例えば足袋の底形状に形成された幅広板体で、先端部ａよりも後端部ｂの方がやや狭い。もちろん、幅広支持板３６の形状は、四角形、長方形、ハート形状、おむすび形状等の任意に形成にすることができる。
【００４３】
図面上前後一対の幅広支持板３６，３６には、その先端部ａの内側に制御軸３７を介して衝突ローラ３５ａが設けられている。前記衝突ローラ３５ａは、大径部分と小径部分を設けるのが望ましい。
【００４４】
また、図１２は前後一対の幅広支持板３６，３６内に位置する仲介部材４４を省略しているが、前記制御軸３７の付近（例えば上方部位）には、前記仲介部材を支軸する可動軸３８が横設軸架されている。さらに、前後一対の幅広支持板３６，３６の後端部ｂには、これらの幅広支持板３６，３６を貫通した状態で横長状収納ケース８Ａの後端部寄りの部位に横設軸架された主軸３９が設けられている。
【００４５】
加えて、幅広支持板３６，３６の先端部ａ寄りの部位には、縦方向にやや弧状の案内長孔４０が形成され、該案内長孔４０には、図１３に示す仲介部材４４の案内軸が遊嵌状態に入り込んでいる。
【００４６】
図１３は、引戸の固定手段２Ａと、衝突部材３５と、仲介部材４４と、ダンパーアーム部材５１との関係を示す概略説明図である。前述したように、仲介部材４４は衝突部材３５の前後一対の幅広支持板３６，３６内に位置するが、望ましくは、前記幅広支持板３６，３６よりも小さ目に形成された円形、角形、本実施形態では、おむすび形状に形成された図面上前後一対の可動板（板体）４５，４５と、これらの可動板の上端部を連結するよう横設軸架され、かつダンパーアーム部材５１を構成する水平移動スライダ５１ａの被係合部（例えば垂直案内長孔）５２に係合する第１支軸４６を有し、該第１支軸４６よりも下位部位、例えば右端部には前述した可動軸（第２支軸）３８が貫通する短い支持長孔４７が形成され、該短い支持長孔４７の左側に相当する可動板（板体）４５，４５の下端部には、衝突部材３５の支持板３６，３６の案内長孔４０，４０に案内される水平ガイドピン４８が設けられている。
【００４７】
ダンパーアーム部材５１は緩衝装置本体Ｙの一部を構成している。すなわち、緩衝装置本体Ｙは、主軸３９に軸支され、かつ衝突時に固定手段２Ａの傾斜制御面３０に案内される衝突部材３５と、該衝突部材３５と協働するように該衝突部材とダンパーアーム部材５１の水平スライダ５１ａの間に介在する仲介部材４４と、前記ダンパーアーム部材５１に巻装されたバネ部材５３と、前記ダンパーアーム部材５１の伸縮アーム５１ｂが嵌挿する横方向のオイルダンパー５４とから成る一つのユニットである。なお、前記水平スライダ５１ａの先端部と後端部には、横長状収納ケース８Ａの形成された水平長孔９（図９参照）に案内されるガイドピン５５が設けられている。図１４は緩衝装置本体Ｙの作用開始時の説明図、図１５は緩衝装置本体Ｙの閉鎖直前の説明図である。これらの作用については前述したとおりなので、詳細は割愛する。
【実施例】
【００４８】
実施形態では、図１で示したように、例えば戸枠７の上枠に緩衝装置本体Ｙ及び閉鎖装置本体Ｘ１をそれぞれ有する一つの横長状収納ケース８Ａを配設し、一方、引戸１の上辺部前框付近に一つの固定手段２Ａを設けた。この配設態様について、特に図示しないが、戸枠７の上枠に前記一つの固定手段２Ａを設け、一方、引戸１の上辺部前框付近に緩衝装置本体Ｙ及び閉鎖装置本体Ｘ１をそれぞれ有する一つの横長状収納ケース８Ａを配設しても良い。取付け態様を逆にした実施形態の場合には、固定手段２Ａの落し２３や支持凹所２４は、当然、逆様の状態と成る。なお、横長状収納ケース８Ａの側壁には適宜切欠等を形成しても良い。
【産業上の利用可能性】
【００４９】
本発明は建具の分野で利用される。
【符号の説明】
【００５０】
Ｚ…引戸用ソフトクローズ装置、Ｘ１…閉鎖装置本体、Ｙ…緩衝装置本体、Ｏ…中心線、１…引戸、２Ａ…固定手段、Ｐ…第１固定プレート、Ｐ１…第２固定プレート、Ｐ３…第３固定プレート（ベースプレート）、Ｐ４…緩衝装置本体用第４固定プレート、７…戸枠、８Ａ…横長状収納ケース、１１Ａ…付勢手段、１２…固定軸、１３Ａ…第１滑動部分、１４Ａ…回転体、１５Ａ…回転体用位置保持手段、１６Ａ…第２滑動部分、１８…被係合部、１９…支軸、２１…第１案内部、２１ａ…案内面、２１ｂ…導入傾斜面、２２…第２案内部、２２ａ…導入傾斜面、２２ｂ…水平状支持面、２３…落し（落し溝、凹所）、２７…バネ部材、２８…鉤状係合部、Ａ…閉戸側、Ｂ…開放側、３０…傾斜制御面、３２…調整取付け孔、３５…衝突部材、３５ａ…衝突ローラ、３６…支持板、３７…制御軸、３８…可動軸、３９…主軸、４０…案内長孔、４４…仲介部材、４５…可動板（板体）  、４７…短い支持長孔、４８…水平ガイドピン、５１…ダンパーアーム部材、５１ａ…水平移動スライダ、５１ｂ…伸縮アーム、５２…被係合部、５３…バネ部材、５４…オイルダンパー。
【図１】
2014012955.tif 000003
【図２】
2014012955.tif 000004
【図３】
2014012955.tif 000005
【図４】
2014012955.tif 000006
【図５】
2014012955.tif 000007
【図６】
2014012955.tif 000008
【図７】
2014012955.tif 000009
【図８】
2014012955.tif 000010
【図９】
2014012955.tif 000011
【図１０】
2014012955.tif 000012
【図１１】
2014012955.tif 000013
【図１２】
2014012955.tif 000014
【図１３】
2014012955.tif 000015
【図１４】
2014012955.tif 000016
【図１５】
2014012955.tif 000017
【図１６】
2014012955.tif 000018
【図１７】
2014012955.tif 000019
【図１８】
2014012955.tif 000020